(57)【要約】【課題】  移動通信システムにおいて、データ遅延の増加を抑えつつ基地局と無線制御装置との間のＩｕｂインタフェースの使用効率を向上する。【解決手段】  上りトラヒックにおいて、基地局１２において上位レイヤのパケットを復元するために必要なデータセグメントを全て受信してからＲＮＣ１３へ送信する。そのために、移動局から基地局１２へ送信されるデータセグメント１０１〜１０ｎのうち、特定のものに基地局１２でのバッファリング１２１を禁止する情報１０を付加する。基地局１２では、この情報１０が付加されているデータセグメントを受信するまで、受信データセグメントをバッファリング１２１し、この情報１０が付加されたセグメント受信時には、このセグメントおよびバッファリングしているセグメントのうち、受信セグメントと関係があると推定されるもの全てをまとめてＲＮＣ１３に送信する。これによりＩｕｂ１４の使用効率が向上する。【選択図】      図２
2006270280.tif 000002
【特許請求の範囲】
【請求項１】
基地局において、移動局からのデータセグメントをバッファリングして上位プロトコル層へのデータパケットを復元するようにした移動通信システムであって、
前記移動局において、前記セグメントのうち予め定められたセグメントに前記バッファリングを禁止する禁止情報を付加して送信する手段と、
前記基地局において、前記禁止情報が付加されたセグメントを受信したときに、この受信セグメントのバッファリングを禁止する手段と、前記受信セグメントとそれまでバッファリングされたセグメントのうち前記受信セグメントに関連するものとをまとめて前記上位プロトコル層へ送信する手段と、
を含むことを特徴とする移動通信システム。
【請求項２】
前記移動局の前記手段は、前記上位プロトコル層におけるデータパケットのサイズに応じて前記禁止情報を付加するセグメントを決定することを特徴とする請求項１記載の移動通信システム。
【請求項３】
前記上位プロトコル層は、無線制御装置におけるプロトコル層であることを特徴とする請求項１または２記載の移動通信システム。
【請求項４】
基地局において、移動局からのデータセグメントをバッファリングして上位プロトコル層へのデータパケットを復元するようにした移動通信システムにおける通信制御方法であって、
前記移動局において、前記セグメントのうち予め定められたセグメントに前記バッファリングを禁止する禁止情報を付加して送信するステップと、
前記基地局において、前記禁止情報が付加されたセグメントを受信したときに、この受信セグメントのバッファリングを禁止するステップと、前記受信セグメントとそれまでバッファリングされたセグメントのうち前記受信セグメントに関連するものとをまとめて前記上位プロトコル層へ送信するステップと、
を含むことを特徴とする通信制御方法。
【請求項５】
前記移動局の前記ステップは、前記上位プロトコル層におけるデータパケットのサイズに応じて前記禁止情報を付加するセグメントを決定することを特徴とする請求項４記載の通信制御方法。
【請求項６】
前記上位プロトコル層は、無線制御装置におけるプロトコル層であることを特徴とする請求項４または５記載の通信制御方法。
【請求項７】
基地局において、移動局からのデータセグメントをバッファリングして上位プロトコル層へのデータパケットを復元するようにした移動通信システムにおける移動局であって、
前記セグメントのうち予め定められたセグメントに前記バッファリングを禁止する禁止情報を付加して送信する手段を含む特徴とする移動局。
【請求項８】
前記手段は、前記上位プロトコル層におけるデータパケットのサイズに応じて前記禁止情報を付加するセグメントを決定することを特徴とする請求項７記載の移動局。
【請求項９】
移動局からのデータセグメントをバッファリングして上位プロトコル層へのデータパケットを復元するようにした基地局であって、
前記バッファリングを禁止する禁止情報が付加されたセグメントを受信したときに、この受信セグメントのバッファリングを禁止する手段と、
前記受信セグメントとそれまでバッファリングされたセグメントのうち前記受信セグメントに関連するものとをまとめて前記上位プロトコル層へ送信する手段と、
を含むことを特徴とする基地局。
【請求項１０】
前記禁止情報を付加するセグメントは、前記上位プロトコル層におけるデータパケットのサイズに応じて決定されていることを特徴とする請求項８記載の基地局。
【請求項１１】
基地局において、移動局からのデータセグメントをバッファリングして上位プロトコル層へのデータパケットを復元するようにした移動通信システムにおける移動局の動作をコンピュータに実行させるためのプログラムであって、
前記セグメントのうち予め定められたセグメントに前記バッファリングを禁止する禁止情報を付加して送信する処理を含む特徴とするプログラム。
【請求項１２】
移動局からのデータセグメントをバッファリングして上位プロトコル層へのデータパケットを復元するようにした基地局の動作をコンピュータに実行させるためのプログラムであって、
前記バッファリングを禁止する禁止情報が付加されたセグメントを受信したときに、この受信セグメントのバッファリングを禁止する処理と、
前記受信セグメントとそれまでバッファリングされたセグメントのうち前記受信セグメントに関連するものとをまとめて前記上位プロトコル層へ送信する処理段と、
を含むことを特徴とするプログラム。
【発明の詳細な説明】
【技術分野】
【０００１】
本発明は移動通信システム及びその方法並びにそれに用いる移動局及び無線基地局に関し、特に移動通信システムにおける移動局と無線基地局との間のインタフェースでのデータ転送方式の改良に関するものである。
【背景技術】
【０００２】
現在、移動体通信システムでは、伝送容量を増大させる技術が多数考案されている。第３世代移動通信の標準化団体の１つである３ＧＰＰ（3rd Generation Pertnership Project）においても、ＨＳＤＰＡ（High Speed Downlink Packet Access ）やＥＵＤＣＨ（Enhanced Uplink Dedicated Channel ）と称される無線区間の伝送容量を向上させるための技術が提案されている。これれらの技術が実用化されると、ネットワークを通過するトラヒックが急激に増加すると予想される。
【０００３】
一方、基地局と無線制御装置とを結ぶインタフェースである有線通信回線（Ｉｕｂと称される）については、大幅な変更が行われていないために、相対的にこの区間の帯域が不足してくることが考えられる。特に、データセグメントの送信間隔（ＴＴＩ：Transmission Time Interval）を短縮化した場合には、個々のデータセグメントに含まれるユーザデータの量が少なくなるのに対して、プロトコルヘッダなどの大きさは変わらないためにオーバヘッドが大きくなる。
【０００４】
従って、有線区間の使用効率を向上させることが重要な課題となる。上り方向のトラヒックに関しては、図１１に示すように、移動局（ＵＥ）１から送信された複数のデータセグメント１０１〜１０３を無線基地局（Ｎｏｄｅ−Ｂ）１２でバッファリングし、１つのパケット１１０にまとめた後、無線制御装置（ＲＮＣ：Radio Network Controller）１３に送信する方法が検討されている。この方法を用いると、複数のデータセグメント１０１〜１０３に対して、１つのプロトコルヘッダ１１１を付加するだけで済むために、データセグメントを個別に送信するよりもＩｕｂと称される回線１４の使用効率が改善される。
【０００５】
しかしながら、無線基地局１２において、バッファリングを行うために遅延が発生するという問題がある。特に、トランスポート層にＴＣＰ（Transmission Control Protocol ）を用いた通信では、データの往復時間（ＲＴＴ：Round Trip Time ）が伝送速度に大きく影響するために、遅延は可能な限り少なくしたほうが良い。
【０００６】
なお、上述した無線基地局１２と無線制御装置１３との間のインタフェースであるＩｕｂ１４に関する技術は特許文献１に開示されており、またこのＩｕｂ１４におけるデータ遅延をなくす技術が特許文献２に開示されている。
【特許文献１】特開２００２−１９９４４０号公報
【特許文献２】特開２００１−０２５０４６号公報
【発明の開示】
【発明が解決しようとする課題】
【０００７】
特許文献２の技術では、ＵＥのソフトハンドオーバ時において、無線基地局の選択合成部における待ち合わ遅延せ最小化するために、上り選択合成部をスルーモードに設定して、無線制御装置で上りデータがバッファに滞留する時間を削減するものである。しかしながら、上述したように、Ｉｕｂにおけるデータ通信における遅延及び使用効率を、ソフトハンドオーバ時のみならず、常時向上させる必要がある。
【０００８】
本発明の目的は、データ遅延の増加を抑えつつＩｕｂの使用効率を向上可能とした移動通信システム及びその方法並びにそれに用いる移動局及び無線基地局を提供することである。
【課題を解決するための手段】
【０００９】
本発明による移動通信システムは、基地局において、移動局からのデータセグメントをバッファリングして上位プロトコル層へのデータパケットを復元するようにした移動通信システムであって、前記移動局において、前記セグメントのうち予め定められたセグメントに前記バッファリングを禁止する禁止情報を付加して送信する手段と、前記基地局において、前記禁止情報が付加されたセグメントを受信したときに、この受信セグメントのバッファリングを禁止する手段と、前記受信セグメントとそれまでバッファリングされたセグメントのうち前記受信セグメントに関連するものとをまとめて前記上位プロトコル層へ送信する手段とを含むことを特徴とする。
【００１０】
本発明による通信制御方法は、基地局において、移動局からのデータセグメントをバッファリングして上位プロトコル層へのデータパケットを復元するようにした移動通信システムにおける通信制御方法であって、前記移動局において、前記セグメントのうち予め定められたセグメントに前記バッファリングを禁止する禁止情報を付加して送信するステップと、前記基地局において、前記禁止情報が付加されたセグメントを受信したときに、この受信セグメントのバッファリングを禁止するステップと、前記受信セグメントとそれまでバッファリングされたセグメントのうち前記受信セグメントに関連するものとをまとめて前記上位プロトコル層へ送信するステップとを含むことを特徴とする。
【００１１】
本発明による移動局は、基地局において、移動局からのデータセグメントをバッファリングして上位プロトコル層へのデータパケットを復元するようにした移動通信システムにおける移動局であって、前記セグメントのうち予め定められたセグメントに前記バッファリングを禁止する禁止情報を付加して送信する手段を含む特徴とする。
【００１２】
本発明による基地局は、移動局からのデータセグメントをバッファリングして上位プロトコル層へのデータパケットを復元するようにした基地局であって、前記バッファリングを禁止する禁止情報が付加されたセグメントを受信したときに、この受信セグメントのバッファリングを禁止する手段と、前記受信セグメントとそれまでバッファリングされたセグメントのうち前記受信セグメントに関連するものとをまとめて前記上位プロトコル層へ送信する手段とを含むことを特徴とする。
【００１３】
本発明によるプログラムは、基地局において、移動局からのデータセグメントをバッファリングして上位プロトコル層へのデータパケットを復元するようにした移動通信システムにおける移動局の動作をコンピュータに実行させるためのプログラムであって、前記セグメントのうち予め定められたセグメントに前記バッファリングを禁止する禁止情報を付加して送信する処理を含む特徴とする。
【００１４】
本発明による他のプログラムは、移動局からのデータセグメントをバッファリングして上位プロトコル層へのデータパケットを復元するようにした基地局の動作をコンピュータに実行させるためのプログラムであって、前記バッファリングを禁止する禁止情報が付加されたセグメントを受信したときに、この受信セグメントのバッファリングを禁止する処理と、前記受信セグメントとそれまでバッファリングされたセグメントのうち前記受信セグメントに関連するものとをまとめて前記上位プロトコル層へ送信する処理段とを含むことを特徴とする。
【００１５】
本発明の作用を述べる。上りトラヒックの通信において、無線基地局において、上位レイヤのパケットを復元するために必要なデータセグメントを全て受信してから無線制御装置へ送信する。そのための方法として、無線端末である移動局から無線基地局へ送信されるデータセグメントのうち、特定のものに無線基地局でのバッファリングを禁止する情報（禁止情報）を付加しておく。
【００１６】
無線基地局では、この禁止情報が付加されているデータセグメントを受信するまで、受信データセグメントをバッファリングし、禁止情報が付加されたセグメント受信時には、当該受信セグメントおよびバッファリングしているセグメントのうち、受信セグメントと関係があると推定されるもの全てをまとめて無線制御装置に送信する。禁止情報が付加されるセグメントは任意に選択できるが、例えば上位レイヤのパケットサイズに合わせて付加すれば、無線基地局でのバッファリング遅延の影響を削減できる。
【発明の効果】
【００１７】
本発明によれば、上りトラヒックにおいて、ＰＤＣＰ（Packet Data Convergence Protocol）パケットを復元するまでの遅延を増やすことなく、無線基地局でのバッファリングを可能とし、Ｉｕｂの使用効率を向上させることが出来るという効果がある。
【発明を実施するための最良の形態】
【００１８】
以下に、本発明の実施の形態について図面を参照して説明する。図１は、移動局（ＵＥ）が上位レイヤのパケット１１０を無線通信に適したセグメント１０１〜１０ｎ（ｎは１以上の整数）に分割すると共に、セグメント１０ｎにバッファリング禁止情報１０を付加している様子を示している。これらのセグメント１０１〜１０ｎは等時間間隔で基地局に送信されると仮定する。
【００１９】
図２に示すように、基地局１２では、無線制御装置１３との間のインタフェースであるＩｕｂと称される回線１４の使用効率を向上させるために、セグメント１０１〜１０（ｎ−１）を受信した場合には、これらセグメントのバッファリングを行う。そして、セグメント１０ｎを受信した場合、このセグメント１０ｎにはバッファリング禁止情報１０が付加されているので、バッファリング（１２１で示す）しておいたセグメント１０１〜１０（ｎ−１）と受信したセグメント１０ｎとを、１つのパケット１１０にまとめて無線制御装置１３へ送信するのである。
【００２０】
無線制御装置１３がパケット１１０を復元するためには、セグメント１０１〜１０ｎの全てを受信する必要がある。上記の方法を用いることによって、無線制御装置１３がセグメント１０ｎを受信するまでの遅延は、バッファリングを行っていないときと同じになるために、パケット１１０の観点からは遅延の増加がないことになる。
【００２１】
本発明の実施例の構成として、図３に３ＧＰＰで検討されているＥＵＤＣＨのプロトコルスタックを示す。図３において、ＵＥは移動局、Ｎｏｄｅ−Ｂは基地局、ＲＮＣは無線制御装置であり、Ｕｕ，Ｉｕｂ，Ｉｕはこれら装置間のインタフェースである。ＰＨＹはPhysical Layerであり、ＭＡＣはMedia Access Controlであり、ＲＬＣはRadio Link Controlであり、ＴＮＬはTransport Network Layer であり、ＦＰはFrame Protocolであり、ＧＴＰはGPRS Tunneling Protocol である。このプロトコルスタッフの詳細は、３ＧＰＰに定義されているので、ここでは述べない。
【００２２】
なお、ＩＰ（Internet Protocol ）層から上位はＴＣＰ（ＵＤＰ：User Datagram Protocol) ／ＩＰを用いる場合である。ＵＥ（移動局）のアプリケーション（application ）層で生成されたデータはＴＣＰ（ＵＤＰ）層およびＩＰ層で処理された後、ＩＰパケットとしてＰＤＣＰ層に渡される。ＰＤＣＰ層では、ＩＰパケットにＰＤＣＰヘッダを付加してＰＤＣＰパケットを生成し、ＲＬＣ層に送る。ＰＤＣＰ層でヘッダ圧縮が行われることもあるが、本発明の動作には影響がないため省略する。
【００２３】
ＲＬＣ層では、ＲＬＣのモードに応じてＰＤＣＰパケットを分割または結合してＲＬＣ  ＰＤＵ（Protocol Data Unit）を作成する。ここで、ＲＬＣがＵＭ（Unacknowledged Mode ）モードまたはＡＭモード（Acknowledged Mode ）の場合には、図４（Ａ）のＵＭＤ（ＵＭモード）データフォーマット，（Ｂ）のＡＭＤ（ＡＭモード）データフォーマットにそれぞれ示すように、ＲＬＣヘッダにシーケンス番号を振ると共に、受信側でＰＤＣＰパケットを復元できるように、１つのＰＤＣＰパケットを構成するＲＬＣ  ＰＤＵのうち、シーケンス番号が最も大きいものにLength Indicator８１，８２を付加する（状況によっては、１つ後に送られるＲＬＣ  ＰＤＵに付加される場合もある）。
【００２４】
その後、ＲＬＣ  ＰＤＵはＭＡＣ層に送られる。ＭＡＣ層のうちＭＡＣ−ｄ（dedicated ）での多重化は行われないためヘッダは付加されない。従って、ＭＡＣ−ｄ  ＰＤＵとＲＬＣ  ＰＤＵは同一である。
【００２５】
ＭＡＣ−ｅｓでは、同一フローに属するＭＡＣ−ｄ  ＰＤＵ（＝ＲＬＣ  ＰＤＵ）を結合して、ＭＡＣ−ｅｓヘッダを付加、ＭＡＣ−ｅｓパケットとする。ＭＡＣ−ｅでは、異なるフローに属する複数のＭＡＣ−ｅｓパケットを結合して、ＭＡＣ−ｅパケットを作成する。ＭＡＣ−ｅパケットがＵｕ（無線回線）を通してＮｏｄｅ−Ｂ（基地局）に送信される。Ｎｏｄｅ−Ｂでは、受信したＭＡＣ−ｅパケットからＭＡＣ−ｅｓパケットを取り出し、ＦＰパケットでカプセル化してＲＮＣへ送信する。
【００２６】
本発明では、Ｉｕｂの使用効率を向上させるために、Ｎｏｄｅ−ＢでＭＡＣ−ｅｓパケットのバッファリングを行い、複数のＭＡＣ−ｅｓパケットを１つのＦＰパケットにまとめてから（または複数のＦＰパケットを１つのＴＮＬ層のパケットにまとめて）ＲＮＣに送信できるシステムを仮定する。
【００２７】
ＲＮＣでは、受信したＦＰパケットからＭＡＣ−ｅｓパケット、ＭＡＣ−ｄ  ＰＤＵを取り出し、ＲＬＣ層に送る。ＲＬＣ層では、分割されたＰＤＣＰパケットを復元するために必要なＲＬＣ  ＰＤＵが全て受信できたら、ＰＤＣＰパケットを復元してＰＤＣＰ層に渡す。最後に、ＰＤＣＰパケットからＩＰパケットを復元して、ＣＮ（Core Network：図示せず）に送る。
【００２８】
ＵＥにおける具体的な動作の例を図５を用いて説明する。但し、図５において、ＰＤＣＰパケット４０１が生成されるまでは、一般的な動作と同様であるので省略してある。先ず、ＰＤＣＰパケット４０１がＲＬＣ  ＰＤＵ４１１〜４１５に分割されると仮定する。ここで、通常はＲＬＣ  ＰＤＵ４１５のヘッダにLength Indicatorが付加される。ＭＡＣ−ｄ  ＰＤＵはＲＬＣ  ＰＤＵと同じであるために省略する。
【００２９】
次に、ＲＬＣパケット４１１および４１２をまとめてＭＡＣ−ｅｓパケット４２１、ＲＬＣパケット４１３および４１４をまとめてＭＡＣ−ｅｓパケット４２２、ＲＬＣパケット４１５パケットからＭＡＣ−ｅｓパケット４２３が生成されるとする。このＭＡＣ−ｅｓパケットがＮｏｄｅ−Ｂでバッファリングが行われる単位である。従って、ＰＤＣＰパケット４０１の復元に必要なＭＡＣ−ｅｓパケットのうち、最後に送信されるＭＡＣ−ｅｓパケット４２３にバッファリング禁止情報４０が付加される。この禁止情報４０はＭＡＣ−ｅｓパケットのヘッダに追加されるものとする。
【００３０】
また、ＭＡＣ−ｅｓ層では、ＰＤＣＰパケット４０１を構成するＲＬＣ  ＰＤＵのうち、ＲＬＣ  ＰＤＵ４１５が最後のものであることを知る必要がある。ここではその方法として、ＲＬＣヘッダにLength Indicatorが付加されているものを当該ＲＬＣ  ＰＤＵであると判断する。なお、Length IndicatorがＲＬＣ  ＰＤＵ４１５の次のＲＬＣ  ＰＤＵ（ＲＬＣ  ＰＤＵ４１６とする）に付加されている場合もあるが、その場合はＲＬＣ  ＰＤＵ４１６を含むＭＡＣ−ｅｓパケットにバッファリング禁止情報を付加すれば動作に大差はない。その後、ＭＡＣ−ｅパケットが生成され、無線回線に送信される。
【００３１】
次に、Ｎｏｄｅ−Ｂでの動作を図６を用いて説明する。Ｎｏｄｅ−Ｂ１２では、フロー毎にバッファを用意する。フローの判断はＭＡＣ−ｅｓパケットのヘッダより判別するものとする。ＭＡＣ−ｅｓパケット４２１および４２２を受信した場合、バッファリング禁止情報が付加されていないために、バッファ２１２に保存する。
【００３２】
ＭＡＣ−ｅｓ４２３を受信した場合には、バッファリング禁止情報が付加されているため、対応するフローのバッファ１２１に保存されているＭＡＣ−ｅｓ４２１と４２２共に１つのパケット１１０にまとめて、ＲＮＣ１３に送る。このようにすることにより、ＭＡＣ−ｅｓパケット４２１〜４２３を個別に送信するよりも、オーバヘッドを減らすことができ、Ｉｕｂの使用効率を向上させることが出来る。
【００３３】
ＲＮＣ１３では、ＭＡＣ−ｅｓ４２１〜４２３パケットからＲＬＣ  ＰＤＵ４１１〜４１５（図５参照）を取り出しＰＤＣＰパケット４０１を復元する。このときＰＤＣＰパケット４１０の復元には、ＲＬＣ  ＰＤＵ４１１〜４１５の全てを受信する必要があるため、Ｎｏｄｅ−Ｂ１２でバッファリングを行わない場合と遅延は同じになる。
【００３４】
次に、図７に示すように、ＰＤＣＰパケットがＭＡＣ−ｅｓパケットよりも小さい場合の例を示す。この場合はＭＡＣ−ｅｓパケット７２１〜７２３のそれぞれにバッファリング禁止情報７１〜７３が付加され、Ｎｏｄｅ−Ｂで、バッファリングを禁止するのと同様の動作となる。また、ＲＬＣの再送パケットは単独で送信されるため、必ずバッファリング禁止情報を付加する。
【００３５】
次、本発明の他の実施の形態について説明する。図８に示すように、全てのＭＡＣ−ｅｓパケットにＰＤＣＰパケットを復元するために必要なＭＡＣ−ｅｓパケットの数や、その中でのシーケンス番号を付加しても同様の動作が可能となる。図８では、９１〜９３で示す部分であり、１／３〜３／３などの情報が付加されており、パケット数が分母の３であり、シーケンス番号が分子の１〜３である。
【００３６】
また、ＭＡＣ−ｅｓパケットがシーケンス番号の順番通りにＮｏｄｅ−Ｂに到着しないシステムでのＮｏｄｅ−Ｂにおける動作を図９および図１０に示す。図９の方法では、Ｎｏｄｅ−Ｂにおいてバッファリング禁止情報が付加されたパケットを受信した場合には（ステップＳ１，Ｓ２で“Ｎｏ”）、バッファリングしてあるパケットのうち、同一フローに属するもので受信パケットよりもシーケンス番号の小さいＭＡＣ−ｅｓパケットを、全てＲＮＣに送信する（ステップＳ３）。
【００３７】
そして、バッファリング禁止情報が付加されていないパケットを受信した場合には（ステップＳ２で“Ｙｅｓ”）、ＲＮＣに送信したシーケンス番号を記録しておき、送信済みのパケットよりもシーケンス番号の小さいＭＡＣ−ｅｓパケットを受信した場合には（ステップＳ４で“Ｙｅｓ”）、バッファリングをせずにＲＮＣへ送信し（ステップＳ５）、そうでなければ対応するフローのバッアァに保存する（ステップＳ６）。
【００３８】
図１０の方法では、バッファリング禁止情報が付加されたパケットを受信した場合には（ステップＳ２１，２２で“Ｙｅｓ”）、バッファ内にあるパケットのシーケンス番号が受信パケットまで連続していればＲＮＣに送信し（ステップＳ２３で“Ｙｅｓ”，Ｓ２７）、連続していなければバッファに保存する（ステップＳ２４）。その後のパケット受信によって、バッファ内の禁止情報が付加されたパケットまでシーケンス番号が連続した場合に（ステップＳ２５，２６で“Ｙｅｓ”）、それらのパケットをＲＮＣに送信する（ステップＳ２７）。
【００３９】
更に、Ｎｏｄｅ−ＢでＭＡＣ−ｅｓパケットをバッファリングできる時間に上限を定め、上限を超えたＭＡＣ−ｅｓパケットはＲＮＣに送るようにする方法と併用することも考えられる。
【００４０】
上述した移動局や基地局の動作は、予めその動作手順をプログラムとしてＲＯＭなどの記録媒体に格納しておき、これをコンピュータにより読み取らせて実行するように構成できるものである。
【図面の簡単な説明】
【００４１】
【図１】本発明の実施の形態における上位プロトコルパケットと無線プロトコルデータセグメントとの関係を示す図である。
【図２】本発明の実施の形態の概略システム図である。
【図３】本発明の実施の形態に適用されるＥＵＤＣＨのプロトコルスタックの例を示す図である。
【図４】ＲＬＣにおけるデータフォーマットの例を示す図である。
【図５】移動局での動作を説明するための図である。
【図６】基地局での動作を説明するための図である。
【図７】本発明の実施の形態にいて、ＰＤＣＰパケットがＭＡＣ−ｅｓパケットよりも小さい場合の例を示す図である。
【図８】本発明の実施の形態にいて、ＰＤＣＰパケットを復元するために必要な情報をＭＡＣ−ｅｓパケットに付加した場合の例を示す図である。
【図９】ＭＡＣ−ｅｓパケットがシーケンス番号通りに基地局へ到達しない場合の基地局での動作の一例を示すフローである。
【図１０】ＭＡＣ−ｅｓパケットがシーケンス番号通りに基地局へ到達しない場合の基地局での動作の他の例を示すフローである。
【図１１】従来技術を説明する図である。
【符号の説明】
【００４２】
１０，４０，７０〜７３  バッファリング禁止情報
１１  移動局（ＵＥ）
１２  無線基地局（Ｎｏｄｅ−Ｂ）
１３  無線制御装置（ＲＮＣ）
１４  Ｉｕｂ
１２１  バッフアリング（バッファ）
【図１】
2006270280.tif 000003
【図２】
2006270280.tif 000004
【図３】
2006270280.tif 000005
【図４】
2006270280.tif 000006
【図５】
2006270280.tif 000007
【図６】
2006270280.tif 000008
【図７】
2006270280.tif 000009
【図８】
2006270280.tif 000010
【図９】
2006270280.tif 000011
【図１０】
2006270280.tif 000012
【図１１】
2006270280.tif 000013